(57)【要約】【課題】  磁気ディスク用ガラス基板等のスクラブ洗浄に用いられるロールブラシが使用時間の増加に伴って経時劣化し、その洗浄能力が低下する問題がある。しかし、洗浄能力の低下の要因として従来考えられていたものとは異なる要因が見出された。【解決手段】  ストッパーがブラシの両端をブラシ軸に押圧することによって、ブラシとブラシ軸との密着度が高まり、これらが空転し難くなって、スクラブ洗浄装置が高い洗浄能力を長期間維持することができる。また、ブラシの寿命を延ばすこともできる。【選択図】  図１
2010082532.tif 000002
【特許請求の範囲】
【請求項１】
ブラシ軸と、
前記ブラシ軸を挿入される着脱式のブラシと、
前記ブラシの両端を前記ブラシ軸に押圧するストッパーと、
を有するロールブラシを具備することを特徴とするスクラブ洗浄装置。
【請求項２】
前記ストッパーは、前記ブラシ軸を挿入される貫通孔を有するベースプレートと、前記ベースプレートに固定され、かつ、前記ロールブラシの回転軸と平行に伸びてブラシを押圧する突起物とを、を具備するものであることを特徴とする請求項１に記載のスクラブ洗浄装置。
【発明の詳細な説明】
【技術分野】
【０００１】
本発明は、ガラス基板等の平坦面をスクラブ洗浄する装置に関する。  
【背景技術】
【０００２】
従来、情報記録媒体用ガラス基板等の平坦面を洗浄する場合には、スクラブ洗浄装置が用いられてきた。
【０００３】
特許文献１には、情報記録媒体用ガラス基板の中央孔の周縁に付着した汚れを効果的に除去するために、ガラス基板を挟み込んでスクラブ洗浄する２本のロールブラシの表面パターンに特徴を持たせたスクラブ洗浄装置が記載されている。また、特許文献１には、このロールブラシについて、金属や合成樹脂等からなる硬質の芯材（ブラシ軸）の外周に、洗浄に適した柔軟な円筒状の部材、例えば合成樹脂製スポンジ体などからなる摺擦部（ブラシ）を被設することにより構成される、と記載されている（段落番号００１９、図４および図５を参照）。
【０００４】
【特許文献１】特開２００８−１４２５９０号公報
【発明の開示】
【発明が解決しようとする課題】
【０００５】
特許文献１に記載された技術をはじめとして、従来は、使用時間の増加に伴ってロールブラシの洗浄能力が低下していくのは、ブラシ表面の磨耗や汚れの付着による経時劣化が原因であると考えられていた。そのため、所定時間を経過したロールブラシは、少なくともブラシを交換する必要があると考えられていた。
【０００６】
しかし、本発明者は、交換時期を過ぎたブラシの表面状態を詳細に観察したところ、あまり劣化していないことに気が付いた。そこで、本発明者は、ブラシ表面がそれほど劣化していないにもかかわらず、その洗浄能力が低下する原因を鋭意検討した結果、スクラブ洗浄ではブラシ表面と洗浄対象物とが強く擦れ合うために、ブラシとブラシ軸とが空転しているのではないか、つまり経時劣化しているのは、ブラシの表面よりもブラシ軸との接触面の方ではないか、と推測するに至った。
【０００７】
この推測の真偽を確かめるため、本発明者は、同一のロールブラシの回転数をさまざまに変化させて、磁気ディスク用ガラス基板をスクラブ洗浄する洗浄試験を行った。この洗浄試験の結果を図３に示す。図３は、横軸にロールブラシの設定回転数をとり、縦軸に洗浄後の１枚の磁気ディスク用ガラス基板の表面で確認された汚れの数をとったグラフである。また、図３のグラフ中の数字は、各設定回転数における１枚の磁気ディスク用ガラス基板上で確認された汚れの平均値である。図３から分かるように、磁気ディスク用ガラス基板のスクラブ洗浄においては、ロールブラシの回転数と洗浄状態とに相関関係があり、特にロールブラシの回転数が遅くなるほど磁気ディスク用ガラス基板の洗浄状態が劣化する。
【０００８】
本発明は、従来の技術では看過されていた問題点に着目してなされたものであり、高い洗浄能力を長期間維持するロールブラシを備えたスクラブ洗浄装置を提供することを目的とする。
【課題を解決するための手段】
【０００９】
上述の課題を解決するための第１の手段は、ブラシ軸と、前記ブラシ軸を挿入される着
脱式のブラシと、前記ブラシの両端を前記ブラシ軸に押圧するストッパーと、を有するロールブラシを具備することを特徴とするスクラブ洗浄装置である。
【００１０】
第２の手段は、前記ストッパーは、前記ブラシ軸を挿入される貫通孔を有するベースプレートと、前記ベースプレートに固定され、かつ、前記ロールブラシの回転軸と平行に伸びてブラシを押圧する突起物とを、を具備するものであることを特徴とする第１の手段にかかるスクラブ洗浄装置である。
【発明の効果】
【００１１】
本発明は、ストッパーがブラシの両端をブラシ軸に押圧することによって、ブラシとブラシ軸との密着度が高まり、これらが空転し難くなって、スクラブ洗浄装置が高い洗浄能力を長期間維持することができる。また、本発明によれば、ブラシの寿命を延ばすこともできる。
【００１２】
また、本発明は、ストッパーがブラシ軸用の貫通孔とブラシ押圧用の突起物とを具備するため、ブラシ軸にストッパーを手早く取り付けることができ、かつ、確実にブラシをブラシ軸に固定することができる。
【発明を実施するための最良の形態】
【００１３】
以下、本発明の実施の形態を、図１および図２を適宜参照しながら説明する。
【００１４】
図１は、本発明にかかるスクラブ洗浄装置に使用されるロールブラシ１００の構成を示す図である。図１（ａ）はロールブラシ１００の外観図であり、図１（ｂ）は図１（ａ）のＡ−Ａ線に沿った断面図である。
【００１５】
ロールブラシ１００は、ブラシ軸１１０、ブラシ１２０および２つのストッパー１３０を具備する。ブラシ軸１１０は、金属または高強度樹脂例えば繊維強化樹脂からなる円柱体であり、スクラブ洗浄時には、その両端を図示しない回転駆動体に接続される。ブラシ１２０は、高弾性でスポンジ状の合成樹脂性等からなる中空体であり、その外周面で洗浄対象物、例えば情報記録媒体としての磁気ディスク用ガラス基板と接する。ブラシ１２０は、その内径がブラシ軸１１０の外径よりも少し小さく作られており、伸縮性を有している。この伸縮性のため、ブラシ１２０は、中空部分へのブラシ軸１１０の挿入が可能になり、またブラシ軸１１０の外周面に密着することができる。
【００１６】
図２は、本発明にかかるスクラブ洗浄装置に使用されるストッパー１３０の構成を示す図である。図２（ａ）はストッパー１３０の外観図であり、図２（ｂ）は図２（ａ）のＢ−Ｂ線に沿った断面図である。
【００１７】
ストッパー１３０は、ベースプレート２１０、突起物２２０および貫通孔２３０を具備する。ストッパー１３０は、金属製であっても樹脂製であってもよい。ストッパー１３０が金属製である場合は、鋳型を用いてストッパー１３０を一体形成してもよいが、ベースプレート２１０に円柱体である突起物２２０を溶接するか、ベースプレート２１０と突起物２２０にそれぞれねじ加工を施し、これらを嵌合することにより一体化してもよい。また、ストッパー１３０が樹脂製である場合は、その強度を高めるため、強化繊維を内包させて一体形成することが好ましい。
【００１８】
突起物２２０は、ベースプレート２１０の外周縁に接するように等間隔で配置される。図２では、ベースプレート２１０上に８つの突起物２２０がＢ−Ｂ線を境に左右対称に配置されている。ベースプレート２１０上の突起物２２０の数は限定されるものではないが、突起物２２０は、ロールブラシ１００の回転中に不要な振動を発生させないように、ベ
ースプレート２１０上の回転中心を通る直線を基準にして左右対称となるように配置されることが好ましい。
【００１９】
貫通孔２３０には、ブラシ軸１１０が挿入されことになる。ベースプレート２１０における貫通孔２３０を囲む面には、ブラシ軸１１０との摩擦力を高め、ストッパー１３０がブラシ軸１１０から容易に移動したり回転したりしないようにするために、ゴム等の弾性体を接着してもよい。
【００２０】
ブラシ１２０にブラシ軸１１０を挿入した後に、ブラシ軸１１０の両端を２つのストッパー１３０の貫通孔２３０にそれぞれ挿入し、さらにストッパー１３０の突起物２２０がブラシ１２０の両端をしっかりと咥え込むまで、ストッパー１３０をブラシ１２０に押し込む。こうすることで、ストッパー１３０は、図１に示すような状態になり、ブラシ１２０の両端をブラシ軸１１０に押圧するようになる。図１に示す状態であれば、ブラシ１２０は、その収縮力に基づくブラシ軸１１０との摩擦力に加えて、突起物２２０による押圧力も得られることから、ブラシ軸１１０との空転を生じ難くなる。特に、突起物２２０による押圧力は経時劣化しないことから、経時劣化によってブラシ１２０の収縮力が低下したときに、突起物２２０による押圧力がブラシ軸１１０とブラシ１２０との空転を防止することに効果的に作用する。また、図１に示す状態では、ブラシ１２０が変形して突起物２２０同士の間に入り込むことから、この点もブラシ１２０の空転防止に寄与する。
【００２１】
ロールブラシ１００を用いて磁気ディスク用ガラス基板をスクラブ洗浄する場合には、２つのロールブラシ１００をブラシ１２０の外周面同士が接するように配置して、それらの間に磁気ディスク用ガラス基板を通す。また、スクラブ洗浄の際には、磁気ディスク用ガラス基板の進行方向と逆方向にロールブラシ１００を回転させるか、ガラス基板の進行方向と同一方向にガラス基板の進行速度よりも速い回転速度でロールブラシ１００を回転させる必要がある。
【００２２】
なお、上記の本発明の実施の形態では、図１（ｂ）に示すようにブラシ軸１１０の断面形状が円である場合について説明したが、本発明は、上記の実施の形態に限定されるものではなく、ブラシ軸１１０の表面にロールブラシ１００の回転軸と平行な線状突起を複数設けることによってブラシ軸１１０の断面形状を歯車状にしてもよい。ブラシ軸１１０の断面形状が歯車状であれば、ブラシ１２０との摩擦力がさらに向上する。ただし、このような線状突起は、洗浄対象物とブラシ１２０の表面との接触状態に影響を与えない程度の高さである必要がある。
【００２３】
また、上記の本発明の実施の形態では、突起物２２０が円柱体である場合について説明したが、本発明は、上記の実施の形態に限定されるものではなく、突起物２２０がテーパー形状であってもよい。突起物２２０がテーパー形状であれば、ストッパー１３０をブラシ１２０に押し込むことが容易になる。
【００２４】
また、上記の本発明の実施の形態では、ストッパー１３０が図２に示す構成である場合について説明したが、本発明は、上記の実施の形態に限定されるものではなく、ストッパー１３０としてインシュロック（登録商標）等の結束バンドを用いることもできる。
【００２５】
また、上記の本発明の実施の形態では、洗浄対象物として磁気ディスク用ガラス基板を用いる場合について説明したが、本発明は、磁気ディスク用ガラス基板以外のものに対しても同様の作用、効果を奏することができる。  
【図面の簡単な説明】
【００２６】
【図１】（ａ）は本発明にかかるスクラブ洗浄装置に使用されるロールブラシの外観図、（ｂ）は（ａ）のＡ−Ａ線に沿った断面図である。
【図２】（ａ）は本発明にかかるスクラブ洗浄装置に使用されるストッパーの外観図、（ｂ）は（ａ）のＢ−Ｂ線に沿った断面図である。
【図３】ロールブラシの回転数と磁気ディスク用ガラス基板に付着した汚れとの関係を示す図である。
【符号の説明】
【００２７】
１００    ロールブラシ
１１０    ブラシ軸
１２０    ブラシ
１３０    ストッパー
２１０    ベースプレート
２２０    突起物
２３０    貫通孔
【図１】
2010082532.tif 000003
【図２】
2010082532.tif 000004
【図３】
2010082532.tif 000005